(57)【特許請求の範囲】
【請求項１】
撮像装置に設けられた操作パネルを照光する操作パネル照光機構において、
前記操作パネルに設けられた、当該操作パネルの背面側に備えられている光源からの光を正面側に導入する複数の光導入部と、
前記操作パネルの外周縁近傍を囲うように前記操作パネルに取り付けられる操作パネル周壁と、
を有し、
前記操作パネル周壁は、前記操作パネルに設けられた前記光導入部に対応する位置に、前記光導入部を覆うとともに、前記光導入部より導入された光を前記操作パネルのおもて面を照光する方向へと誘導する導光部が形成され、
前記操作パネル周壁の所定範囲の壁側では、複数の前記光導入部に対応する位置にそれぞれ独立して前記導光部が形成されて前記操作パネルのおもて面のそれぞれ所定の範囲にスポット光として照光し、
かつ、前記操作パネル周壁のうち前記独立して導光部が形成された範囲に対向する壁側では、複数の前記光導入部に対して連通した前記導光部が形成されて導入された光をまとめて前記操作パネル全体を前記スポット光の照度に対して低くなるように照光すること
を特徴とする操作パネル照光機構。
【請求項２】
請求項１に記載の操作パネル照光機構において、
前記光導入部は、スリット形状を呈しており、当該スリット形状部分より前記光源からの光を導入すること
を特徴とする操作パネル照光機構。
【請求項３】
請求項１又は２記載の操作パネル照光機構において、
前記光導入部が、前記操作パネルの少なくとも上部に設けられていること
を特徴とする操作パネル照光機構。
【請求項４】
請求項１〜３いずれか１項記載の操作パネル照光機構において、
前記導光部の側面断面形状が鉤形形状となっていることにより、前記光源からの光を前記操作パネルのおもて面を照光する方向へと誘導可能となっていること
を特徴とする操作パネル照光機構。
【請求項５】
請求項１〜３いずれか１項記載の操作パネル照光機構において、
前記導光部は、前記操作パネルの垂線に対して所定の角度を持った反射面が形成されており、前記反射面で反射した光が前記操作パネルのおもて面を照光する方向へと誘導されること
を特徴とする操作パネル照光機構。
【請求項６】
請求項１〜５いずれか１項記載の操作パネル照光機構において、
前記導光部のうち、前記光の誘導出口近傍に、透光性を有する部材が嵌合されていること
を特徴とする操作パネル照光機構。
【発明の詳細な説明】
【技術分野】
【０００１】
本発明は、撮像装置の各種設定、調整するためのスイッチ類が設けられた操作パネルを照光する操作パネルの照光機構に関するもので、特に、オペレータがスイッチ類を操作する際に操作パネルを認識しやすく、また、不要な光を周囲に拡散させないように照光するための照光機構に関する。
【背景技術】
【０００２】
スタジオ撮影や夜間撮影等では、撮影環境によっては周囲が暗かったり、不要な光をカットする必要がある場合も多く、その際、撮像装置の操作パネルに設けられたスイッチ類の操作は、暗いので目盛りや文字、スイッチ名等が見づらく誤操作をしてしまうこともあった。
【０００３】
そこで、従来より、目盛りや文字を見やすくするために、操作パネルを透光性のあるアクリル等の樹脂で作製し、メモリや文字以外の領域に黒色で印刷又は遮光シートを貼り付けて、うら面から全体的に照射して目盛りや文字を光らせる方法や、操作パネルの脇に操作パネルを取り囲むように複数の発光ダイオード等の光源を設置して、操作パネルに向かって照射する方法が考えられてきた。
【０００４】
また、特許文献１のように、操作パネルの上部おもて面に光源である発光ダイオードが操作パネルおもて面より突出して略垂直に設置され、操作パネルに対して略垂直方向に照射された光を反射材によって下方にある操作パネル方向へ反射させて、操作パネル全体を照光させるテレビジョンカメラが開示されている。
【先行技術文献】
【特許文献】
【０００５】
【特許文献１】特開２００８−９６８０８号公報
【発明の概要】
【発明が解決しようとする課題】
【０００６】
ところが、上記操作パネルのうら面からパネル全体を照射する方法は、文字やメモリは明るく光るので認識できるが、スイッチ自体は光らないので認識しづらいという欠点があった。
また、操作パネル脇に操作パネルを取り囲むように発光ダイオード等の光源を設置する方法の場合、パネル全体を照射するには複数の光源が必要となり製造コストや撮像装置の消費電力が増加するという欠点があった。
【０００７】
また、特許文献１のテレビションカメラは光源となる発光ダイオードの必要数を最小限にすることができるが、発光ダイオードは操作パネルより突出して設置されているため操作パネルを照光するだけでなく周囲に光が拡散してしまう。
【０００８】
スタジオ撮影等では、複数の撮像装置で多方向から被写体を撮影するが、現在どの撮像装置で撮影中なのか、出演者やスタッフに認識させるために、タリーと呼ばれるランプが点灯する仕組みとなっている。
上記のようなスタジオ撮影の場合、特許文献１の操作パネルでは周囲に光が拡散してしまうために、漏れた光をタリーと間違えることがあり、非常に不便であった。
【０００９】
さらに、特許文献１のテレビションカメラの発光ダイオードは操作パネルより突出して設置されているため、その光線がオペレータの目に直接入ってしまうこともあり、発光ダイオードの光量が小さくともまぶしかったり、目を痛める可能性もあった。
【００１０】
本発明は上記課題に鑑みてなされたものであって、最小限の光源で光を効率よく操作パネルに照光するだけでなく、不要な光を周囲に拡散させないための撮像装置の操作パネル照光機構を提供することを目的とする。
【課題を解決するための手段】
【００１１】
本発明は、上述した課題を解決するためになされたものであり、請求項１に記載の発明は、撮像装置に設けられた操作パネルを照光する操作パネル照光機構において、前記操作パネルに設けられた、当該操作パネルの背面側に備えられている光源からの光を正面側に導入する複数の光導入部と、前記操作パネルの外周縁近傍を囲うように前記操作パネルに取り付けられる操作パネル周壁と、を有し、前記操作パネル周壁は、前記操作パネルに設けられた前記光導入部に対応する位置に、前記光導入部を覆うとともに、前記光導入部より導入された光を前記操作パネルのおもて面を照光する方向へと誘導する導光部が形成され、前記操作パネル周壁の所定範囲の壁側では、複数の前記光導入部に対応する位置にそれぞれ独立して前記導光部が形成されて前記操作パネルのおもて面のそれぞれ所定の範囲にスポット光として照光し、かつ、前記操作パネル周壁のうち前記独立して導光部が形成された範囲に対向する壁側では、複数の前記光導入部に対して連通した前記導光部が形成されて導入された光をまとめて前記操作パネル全体を前記スポット光の照度に対して低くなるように照光することを特徴とする操作パネル照光機構となっている。
【００１２】
また、請求項２に記載の発明は、請求項１に記載の操作パネル照光機構において、前記光導入部は、スリット形状を呈しており、当該スリット形状部分より前記光源からの光を導入することを特徴としている。
【００１３】
また、請求項３に記載の発明は、請求項１又は２記載の操作パネル照光機構において、前記光導入部が、前記操作パネルの少なくとも上部に設けられていることを特徴としている。
【００１４】
また、請求項４に記載の発明は、請求項１〜３いずれか１項記載の操作パネル照光機構において、前記導光部の側面断面形状が鉤形形状となっていることにより、前記光源からの光を前記操作パネルのおもて面を照光する方向へと誘導可能となっていることを特徴としている。
【００１５】
また、請求項５に記載の発明は、請求項１〜３いずれか１項記載の操作パネル照光機構において、前記導光部は、前記操作パネルの垂線に対して所定の角度を持った反射面が形成されており、前記反射面で反射した光が前記操作パネルのおもて面を照光する方向へと誘導されることを特徴としている。
【００１６】
また、請求項６に記載の発明は、請求項１〜５いずれか１項記載の操作パネル照光機構において、前記導光部のうち、前記光の誘導出口近傍に、透光性を有する部材が嵌合されていることを特徴としている。
【発明の効果】
【００１７】
本発明の操作パネル照光機構によると、光源の光を効率よく操作パネルのおもて面方向に照光できるため、光源の数を大幅に減らすことができ、製造コストの削減や、撮像装置の消費電力の削減をすることができる。また、操作パネル全体が照光されるので、文字や目盛りだけでなくスイッチやボリューム類も正確に認識できるので、操作ミスを大幅に減らすことができる。また、操作パネル周壁の所定範囲の壁側では、複数の光導入部に対応する位置にそれぞれ独立して導光部が形成されて操作パネルのおもて面のそれぞれ所定の範囲にスポット光として照光し、かつ、操作パネル周壁のうち独立して導光部が形成された範囲に対向する壁側では、複数の光導入部に対して連通した導光部が形成されて導入された光をまとめて操作パネル全体をスポット光の照度に対して低く薄明るくなるように照光する機構となっているので、効率よく操作パネル全体を照光出来るだけでなく、より確実に認識する必要のあるスイッチ類に対してはスポット光によって明るく照光でき操作ミスを大幅に減らすことができるという利点がある。
【００１８】
また、操作パネル周壁が操作パネルを取り囲むように設けられているので、光が外部に漏れ出る事が少なく、タリーと間違えたり、不要な光をカットしなければならない場面でも操作パネルのおもて面方向を照光することができるので、確実に操作パネルのスイッチ類を認識、操作することができる。
【００１９】
さらに、光導入部がスリット形状で構成された場合、当該スリット形状部分より光源からの光を導入することができるので、操作パネルのパネル材を透明樹脂だけでなく金属でも作製することができ、電気的なシールド性能の向上や、強度の向上などの利点がある。
【００２０】
また、操作パネル周壁の導光部の形状が鉤形形状となっていたり、操作パネルの垂線に対して所定の角度を持った反射面を有していることにより、光源からの光を効率よく誘導でき、操作パネルのおもて面方向への照光範囲や、光の強度分布を設計に合わせて変更することができる。また、従来あるようなＶ溝パネルや印刷パネルを使用して光を誘導する必要がないので製造コストも安価に作製できる。
【００２１】
また、操作パネルの大きさや照光したい光量等によって、光源及び導光部の数を適切に設けることができるので操作の利便性がより高まる。
【００２２】
また、導光空間の出口近傍に透光性を有する部材が嵌合されることにより、操作パネルのおもて面方向へ照光する光量を調節することができるとともに、光源部分や装置内部へのコンタミや水分等の侵入を防止することもできる。
【００２３】
また、操作パネルを取り囲むように操作パネル周壁を設けているので、光が外部に漏れ出る事が少なくなるだけでなく、操作パネル周壁の高さがスイッチ類よりも高く設定されると、操作パネルやスイッチ類を破損から保護することができる。例えば、撮像装置のレンズを交換する際など、操作パネルの配置された面を地面に置くことがあるが、操作パネル周壁があるためにスイッチ類が直接地面と接触する確率が極めて低くなるので、操作パネルやスイッチ類を破損から保護することができる。
【図面の簡単な説明】
【００２４】
【図１】本発明に係る撮像装置の操作パネル照光機構の第１の実施形態を示す。（ａ）は正面図、（ｂ）は上面図、（ｃ）は側面図、（ｄ）はＡ−Ａ線断面図、（ｅ）はＢ部拡大図、（ｆ）は導光部の他の形状の一例を示す。
【図２】本発明に係る撮像装置の操作パネル照光機構の第１の実施形態の斜視図を示す。
【図３】本発明に係る撮像装置の操作パネル照光機構の第１の実施形態の操作パネル周壁を示す。（ａ）は正面図、（ｂ）は側面図、（ｃ）は背面図、（ｄ）はＣ−Ｃ線断面図、（ｅ）（ｆ）は斜視図を示す。
【図４】本発明に係る撮像装置の操作パネル照光機構の第１の実施形態の導光部に化粧パネルが嵌合された場合を示す。（ａ）は正面図、（ｂ）は上面図、（ｃ）は側面図、（ｄ）はＤ−Ｄ線断面図、（ｅ）はＥ部拡大図、（ｆ）は導光部の他の形状の一例を示す。
【図５】本発明に係る撮像装置の操作パネル照光機構の第１の実施形態を撮像装置に取り付けた図を示す。
【図６】本発明に係る撮像装置の操作パネル照光機構の第２の実施形態の斜視図を示す。
【図７】本発明に係る撮像装置の操作パネル照光機構の第２の実施形態の操作パネル周壁を示す。（ａ）は正面図、（ｂ）は側面図、（ｃ）は背面図、（ｄ）はＦ−Ｆ線断面図、（ｅ）（ｆ）は斜視図を示す。
【発明を実施するための形態】
【００２５】
本発明に係る操作パネル照光機構の第１の実施形態について図面を参照しながら説明する。図１は操作パネル照光機構１０の構成を示し、また図２では操作パネル照光機構１０の斜視図を示し、また図３では操作パネル照光機構１０の構成部材のひとつである操作パネル周壁１５の図を示している。
操作パネル照光機構１０は図１のように、操作パネル１１に設けられた背面側に備えられている光源１３からの光を正面側に導入する光導入部１４と操作パネル周壁１５から構成され、光源１３およびスイッチ類は操作パネル１１の背面側に取り付けられた基板１２に配されている。
また、操作パネル周壁１５は図３のように、操作パネル周壁１５の上部に導光部１６が２箇所形成されている。
【００２６】
光源１３は消費電力の少なさやコンパクトさ、寿命の長さ等から通常発光ダイオードが使用される。なお、光源１３の照度を無段階に調整したい場合などは白熱球を使用する場合もある。
【００２７】
操作パネル１１は樹脂製でも良いし、金属製でも良い。金属製の場合、電気的なシールド性能が樹脂製よりも高く、スイッチ類の誤動作等を防ぐことができる。さらに強度も高くすることができる。
【００２８】
操作パネル１１の背面側には、基板１２が所定の間隔をあけて配置されており、基板１２のおもて面には各種スイッチやボリューム類が取り付けられている。また、基板１２の上部にはさらに光源１３が２箇所取り付けられている。
【００２９】
操作パネル１１には、基板１２に取り付けられた光源１３と対応する位置に光導入部１４が設けられている。また、操作パネル１１には、基板１２に取り付けられた各種スイッチやボリューム類が操作パネル１１の正面側に突出するための孔が対応する位置に設けられている。
【００３０】
光導入部１４は、図２の斜視図のように横長のスリット形状であり、そのスリットより光源１３の光が操作パネル１１の正面側に導入される。光導入部１４の形状はスリット形状でも良いし、円形状や、長穴形状でも良い。光導入部１４は形状を変えることにより光源１３から操作パネル１１へ導入される光量の調節や、導入方向を調整することもできる。
【００３１】
また、操作パネル１１が透明な樹脂で作製されている場合は、光導入部１４以外を黒色で印刷したり遮光シートを貼ったりすることにより、光導入部１４部分のみを透明として、操作パネル１１うら面に配置されている光源１３より光導入部１４へ光を導入することもできる。
【００３２】
操作パネル１１のおもて面側には操作パネル周壁１５が操作パネル１１の外周縁を囲うように取り付けられている。操作パネル周壁１５は図１のように、ネジ止めで操作パネル１１に取り付けられていても良いし、操作パネル１１と一体成型でも良い。操作パネル周壁１５の高さは用途によって任意に設定できる。例えば、操作パネル周壁１５の高さを、操作パネル１１のスイッチ類の中の最大高さよりも高くすることで、例えば、撮像装置１のレンズを交換する際など、操作パネル１１の配置された面を地面に置いても、操作パネル周壁１５があるためにスイッチ類が直接地面と接触する確率が極めて低くなるので、操作パネル１１を破損から保護することができる。
【００３３】
操作パネル周壁１５は、図１〜図３のように、操作パネル１１の光導入部１４に対応する位置に導光部１６が形成されている。図１の実施例では、光導入部１４が操作パネル１１の上部２箇所に設けられ、導光部１６も２箇所設けられている。
【００３４】
操作パネル周壁１５の導光部１６の形状は、図１（ｅ）のように、断面形状が鉤形状となっている。光の誘導経路は、第１に光源１３から発せられた光が、操作パネル１１に設けられた光導入部１４から光量を調節されながら操作パネル１１の正面側に導入され、第２にその光が導光部１６の壁面を反射しながら進み、最終的に導光部１６の出口近傍に誘導されて、操作パネル１１のおもて面方向のスイッチ類や目盛り等に照光される。
【００３５】
導光部１６は図１（ｅ）のように鉤形状となっており、光源１３から操作パネル１１の面に対して略垂直方向へ発せられた光を鉤部分のうち操作パネル１１と略平行に形成された壁部分で操作パネル１１方向へ誘導するため、操作パネル１１外部へ光が漏れ出る可能性が非常に低くなる利点がある。また、光は導光部１６の壁面を反射しながら誘導されるので、間接照明のように、操作パネル１１を均一に照光することが可能である。
【００３６】
また、図１（ｆ）のように、導光部１６に操作パネル１１の垂線に対して、所定の角度αを持った反射面１７が形成されることによっても、操作パネル１１のおもて面方向を照光することができる。反射面１７の角度αは操作パネル１１のサイズや操作パネル周壁１５の高さによって設計されるが、好ましくは０度＜α≦６０度となるように形成すると操作パネル１１のおもて面方向へ効率よく照光することができる。なお、本実施例では、角度αを４５度として反射面１７を形成している。この形状の導光部１６の場合、操作パネル１１のおもて面全体を満遍なく照光することによってスイッチ類や文字を全体的に認識することが可能となる。また、光をより積極的に操作パネル１１のおもて面方向へ反射して誘導するので、スポットライトのような使用方法も可能である。また、操作パネル１１のおもて面の照光したい位置によって反射面１７の角度αを設計することもできる。例えば、操作パネル１１おもて面の上方向へ誘導させたい場合は、角度αを６０度など、より大きい角度で反射面１７を形成するほど上方向へ反射、誘導できる。
【００３７】
また、図４（ｄ）〜（ｆ）のように、導光部１６の光の誘導出口近傍に透光性を有した化粧パネル１８が嵌合されると、操作パネル１１のおもて面方向に照光される光の光量を変更することができる。特に、光源１３に発光ダイオードを使用している場合、光の指向性が高くその上光量の微調整が困難なので、化粧パネル１８の光の透過率を変更することによって光量を調整することが容易になる。また、化粧パネル１８にマット仕上げの透明な樹脂やガラスを使用すると、より薄明るく操作パネル１１のおもて面方向を照光することができる。
【００３８】
さらに、化粧パネル１８を嵌合することによって、コンタミや水分等が導光部１６を逆流して光源１３や操作パネル１１の背面側に配置されているスイッチ類や基盤に付着することを防止することができる。
【００３９】
次に図５は、本発明の操作パネル照光機構１０が撮像装置１に取り付けられた状態の図であり、撮像装置１の背面には操作パネル１１と操作パネル周壁１４を有した操作パネル照光機構１０が配置されている。また、撮像装置１の背面上部にはタリー２が設けられている。操作パネル１１は通常図１のように撮像装置１の背面に配置されているが、側面に配置されることもある。
【００４０】
図５のように、操作パネル１１とタリー２が近接して配置されている場合、従来の照光方法だと、光が周囲に拡散してしまうことが多いので、周りのスタッフにはタリー２光が判別しづらくなってしまう。
ところが、本発明の操作パネル照光機構１０の場合、操作パネル周壁１５に設けられた導光部１６が操作パネル１１のおもて面方向を照光する構成となっているので、周囲に光が漏れにくくなっている。さらに操作パネル周壁１５が操作パネル１１を取り囲んでいるので、操作パネル１１のおもて面方向を照光でき、周囲へ光が漏れ出るのを最小限にすることができる。そのため、タリー２光と間違えたり判別しにくくなる可能性が非常に低くなるという利点がある。
【００４１】
次に、操作パネル照光機構１０の第２の実施例を図６及び図７を参照しながら説明する。図６は操作パネル照光機構１０の構成を斜視図で示し、また図７では操作パネル照光機構１０の構成部材のひとつである操作パネル周壁１５の図を示している。
操作パネル照光機構１０は図６のように、操作パネル１１に設けられた背面側に備えられている光源１３からの光を正面側に導入する光導入部１４と操作パネル周壁１５と導光部１６から構成され、光源１３およびスイッチ類は操作パネル１１の背面側に取り付けられた基板１２に配されている。
また、操作パネル周壁１５は図７のように、操作パネル周壁１５の上部に導光部１６が２箇所、また下部には導光部１６が１箇所形成されている。
【００４２】
操作パネル１１の背面側には、基板１２が所定の間隔をあけて配置されており、基板１２には各種スイッチやボリューム類が取り付けられている。また、基板１２にはさらに光源１３が上部に２箇所取り付けられ、下部にも２箇所取り付けられている。
【００４３】
操作パネル１１には、基板１２に取り付けられた光源１３と対応する位置に光導入部１４が設けられている。図６の実施形態では光源１３が操作パネル１１の上部に当たる部分に２箇所、下部に２箇所取り付けられていることから、光導入部１４もそれに対応して上部２箇所、下部２箇所に設けられている。
【００４４】
操作パネル１１のおもて面には操作パネル周壁１５が操作パネル１１の外周縁を囲うように取り付けられている。操作パネル周壁１５の高さは用途によって任意に設定できる。例えば、操作パネル周壁１５の高さを、取り付けられたスイッチ類の中の最大高さよりも高くすることで、撮像装置１のレンズを交換する際など、操作パネル１１の配置された面を地面に置いても、操作パネル周壁１５があるためにスイッチ類が直接地面と接触する確率が極めて低くなるので、操作パネル１１を破損から保護することができる。
【００４５】
操作パネル周壁１５は、図６及び図７のように、操作パネル１１の光導入部１４に対応する位置に導光部１６が形成されている。上部の２箇所の光導入部１４にはそれぞれ導光部１６が形成され、下部の２箇所の光導入部１４には、２箇所の光導入部１４から導入された光をまとめて操作パネル１１のおもて面を照光する方向へと誘導することのできる形状の導光部１６が１つ設けられている。
【００４６】
導光部１６は、上部の導光部１６のように１箇所の光導入部１４に対して１つの導光部１６を設けると、スポット光のような効果を得ることもできる。また、下部の導光部１６のように、２箇所の光導入部１４から導入された光をまとめて操作パネル１１のおもて面を照光する方向へと誘導することのできる形状の導光部１６とすると、操作パネル１１全体をスポット光の照度に対して低くなるように薄明るく照光することも可能である。
【００４７】
本発明に係る操作パネル照光機構１０は、第１の実施例の操作パネル照光機構１０のように上部２箇所に光源１３及び光導入部１４を配置したり、第２の実施例の操作パネル照光機構１０のように上下に２箇所ずつ光源１３及び光導入部１４を配置するだけでなく、操作パネル１１の大きさに応じて光源１３の数を増減することができるし、例えば、操作パネル１１の上下だけでなく左右辺に沿って光源１３及び光導入部１４を配置して、導光部１６によって操作パネル１１のおもて面方向へ照光することもできる。
【産業上の利用可能性】
【００４８】
本発明に係る操作パネル照光機構は、操作パネルを照光するだけでなく、その他の表示モニター等を照光する場合にも利用できる。
【符号の説明】
【００４９】
１      撮像装置
２      タリー
１０    操作パネル照光機構
１１    操作パネル
１２    基板
１３    光源
１４    光導入部
１５    操作パネル周壁
１６    導光部
１７    反射面
１８    化粧パネル
【図１】
0005754725.tif 000002
【図２】
0005754725.tif 000003
【図３】
0005754725.tif 000004
【図４】
0005754725.tif 000005
【図５】
0005754725.tif 000006
【図６】
0005754725.tif 000007
【図７】
0005754725.tif 000008